(57)【要約】【課題】コストを低く抑えつつ、例え背の高い商品であっても適切な照明を行うことができる照明装置及び光学素子を提供する。【解決手段】第１の斜面１１ｊが棚２側を向くように傾斜しているため、ＬＥＤ発光部１２ａからの光は、第１の斜面１１ｊに対し、より深い角度で入射することとなり、それにより全反射する光の量が増大し、従って導光板１１の内部を通って上方側に向かう光の量を増大できる。【選択図】図４
2011253778.tif 000002
【特許請求の範囲】
【請求項１】
ＬＥＤ光源と光学素子とを有し、棚に取り付けられて前記棚の上方側及び下方側を照明する照明装置の光学素子であって、
前記光学素子は板状体で構成され、前記ＬＥＤ光源から出射された光を入射する第１の面と、前記第１の面と対向する第２の面と、前記ＬＥＤ光源から出射されて前記板状体内に入射した光を上方側に内部反射する第１の反射面と下方側に内部反射する第２の反射面とを有し、
前記第１の反射面で内部反射された光は、前記板状体の内部を通過して前記棚の上方側に向かって出射され、前記第２の反射面で内部反射された光は、前記板状態の内部を通過して前記棚の下方側に向かって出射されるようになっており、
前記板状体は、前記第１反射面よりも上方側または前記第２反射面の下方側の少なくとも一方に、端部側に向かうにつれて肉厚が厚くなる厚肉部を有することを特徴とする光学素子。
【請求項２】
前記第１の面は、前記ＬＥＤ光源から出射された光が入射する入射部よりも上方側または下方側に、端部側に向かうにつれて肉厚が厚くなるように前記入射部の面に対して傾いた第１の斜面を有することを特徴とする請求項１に記載の光学素子。
【請求項３】
前記第１の面は、前記第１の斜面よりも端部側に向かうにつれて肉厚が薄くなるように前記入射部の面に対して傾いた第２の斜面を有することを特徴とする請求項２に記載の光学素子。
【請求項４】
前記入射部の面と前記第１の斜面のなす角は、前記入射部の面と前記第２の斜面のなす角より小さいことを特徴とする請求項３に記載の光学素子。
【請求項５】
前記棚の上方側に向かって照射される光の角度中心が、前記棚の下方側に向かって照射される光の角度中心よりも棚板の法線方向に近いことを特徴とする請求項１〜４のいずれかに記載の光学素子。
【請求項６】
前記光学素子は、棚に取り付けたときに、前記棚から最も離れた端部が平面となっていることを特徴とする請求項１〜５のいずれかに記載の光学素子。
【請求項７】
請求項１〜６のいずれかに記載の光学素子を有する照明装置であって、前記第１の面と第２の面に沿って設けられた反射部材を有することを特徴とする照明装置。
【請求項８】
前記光学素子の前記棚から最も離れた端部に沿って拡散部材を設けたことを特徴とする請求項７に記載の照明装置。
【発明の詳細な説明】
【技術分野】
【０００１】
本発明は、光学素子及び照明装置に関し、例えばショーケース等に配設され、ショーケースに陳列された商品の照明に好適な照明装置及びそれに用いる光学素子に関するものである。
【背景技術】
【０００２】
従来から、ショーケースに配設され、ショーケースに陳列された商品を照らすものとして、蛍光灯が広く用いられている。しかるに蛍光灯は、一般に電気エネルギーを可視放射、赤外放射、紫外放射に変換し、可視光線を放射することで、照明として用いるものである。その際、熱損失が生じるため、蛍光灯自体のみ成らず、当該蛍光灯による輻射熱によって、陳列された商品が加熱されるという問題があり、ショーケース用の照明装置の光源としては、必ずしも好ましいものとはいえない。これに対し、特許文献１に示すように、蛍光灯の代わりにＬＥＤ光源を用いることが提案されている。ＬＥＤ光源は、蛍光灯に比べ発熱量が少ない他、省エネで長寿命等のメリットもある。
【先行技術文献】
【特許文献】
【０００３】
【特許文献１】特開2008-206665号公報
【特許文献２】特開2010-78251号公報
【発明の概要】
【発明が解決しようとする課題】
【０００４】
ところで、特許文献１の技術によれば、ショーケースの上前方と、ショーケース内に架設した棚の下部にＬＥＤ光源を配置し、上前方から棚板面を照明している。従って、ＬＥＤ光源から出射された光が、棚の上部から下部に向かって降り注ぐため、棚板の水平面照度値は大きくなるが垂直面照度値は小さくなり、その結果、消費者が商品選択を行う際に手がかりとなるパッケージの正面が比較的暗く照明されるという問題がある。これに対し、ＬＥＤ光源の数を増やせば照明光量は増大するが、その分コスト増を招くこととなる。
【０００５】
一方、特許文献２に記載の技術によれば、ショーケース内に架設した棚の下部にＬＥＤ光源を配置し、棚の手前側に反射板を設け、これにより光源からの光を反射して棚の上下に振り分けて照射している。即ち、商品を載置した棚の下側からも商品を照らすことで、照明効果を向上させており、一つのＬＥＤ光源で棚の上側下側を照明することが出来るため、或る程度の照度を確保しながらも、部品点数を抑えることが出来、コスト削減を図れ、組立作業効率効果が向上する。ところが、かかる従来技術では、棚の手前側に配置した反射板からの反射光により、商品の照明を行っているために、例えば牛乳パックや飲料ボトルなど背の高い商品を棚に陳列した際には、上側からの照明光も下側からの照明光も、綺麗な商標やロゴが印刷された商品中程あたりに届きにくくなり、消費者の視覚に訴えて購買意欲を喚起させる効果が小さくなる恐れがある。
【０００６】
本発明は、コストを低く抑えつつ、例え背の高い商品であっても適切な照明を行うことができる照明装置及び光学素子を提供することを目的とする。
【課題を解決するための手段】
【０００７】
請求項１に記載の光学素子は、ＬＥＤ光源と光学素子とを有し、棚に取り付けられて前記棚の上方側及び下方側を照明する照明装置の光学素子であって、
前記光学素子は板状体で構成され、前記ＬＥＤ光源から出射された光を入射する第１の面と、前記第１の面と対向する第２の面と、前記ＬＥＤ光源から出射されて前記板状体内に入射した光を上方側に内部反射する第１の反射面と下方側に内部反射する第２の反射面とを有し、
前記第１の反射面で内部反射された光は、前記板状体の内部を通過して前記棚の上方側に向かって出射され、前記第２の反射面で内部反射された光は、前記板状態の内部を通過して前記棚の下方側に向かって出射されるようになっており、
前記板状体は、前記第１反射面よりも上方側または前記第２反射面の下方側の少なくとも一方に、端部側に向かうにつれて肉厚が厚くなる厚肉部を有することを特徴とする。
【０００８】
本発明によれば、前記第１の反射面で内部反射された光が、前記板状体の内部を通過して前記棚の上方側に向かって照射され、前記２の反射面で内部反射された光は、前記板状体の内部を通過して前記棚の下方側に向かって照射されるようになっており、且つ前記板状体は、前記照明装置を棚に取り付けたときに、前記棚から離れて端部側（例えば上端側）に向かうに連れて肉厚が厚くなる厚肉部を有するので、例えば牛乳パックや飲料ボトルなど背の高い商品を棚に陳列した際に、前記板状体を介して棚から離れて照射された光が、綺麗な商標やロゴが印刷された商品中程あたりに届きやすくなり、消費者の視覚に訴えて購買意欲を喚起させる効果が高まる。又、前記第１の反射面と前記第２の反射面の内部反射を用いて前記光学素子内を導光させる構成とすることで、照明装置を薄くできる。尚、ＬＥＤ光源とは、面状発光体であり、例えばＬＥＤ（Light Emitting Diode）を用いた光源をいう。
【０００９】
請求項２に記載の光学素子は、請求項１に記載の発明において、前記第１の面は、前記ＬＥＤ光源から出射された光が入射する入射部よりも上方側または下方側に、端部側に向かうにつれて肉厚が厚くなるように前記入射部の面に対して傾いた第１の斜面を有することを特徴とする。前記板状体の内部を通過する光が前記第１の斜面により内部反射され、前記棚板の法線方向成分が強まるため、前記板状体を介して照射された光が商品中程に届きやすくなるため好ましい。
【００１０】
請求項３に記載の光学素子は、請求項２に記載の発明において、前記第１の面は、前記第１の斜面よりも端部側に向かうにつれて肉厚が薄くなるように前記入射部の面に対して傾いた第２の斜面を有することを特徴とする。前記板状体の内部を通過する光は、前記第１の斜面により内部反射された後、前記第２の斜面を介して出射し易くなるので配光制御が出来好ましい。
【００１１】
請求項４に記載の光学素子は、請求項３に記載の発明において、前記入射部の面と前記第１の斜面のなす角は、前記入射部の面と前記第２の斜面のなす角より小さいことを特徴とする。前記入射部の面とのなす角度（鋭角で比較）を前記第２の斜面よりも前記第１の斜面の方が小さくなるように前記第２の斜面の傾き角を調整することで、配光制御を行える。
【００１２】
請求項５に記載の光学素子は、請求項１〜４のいずれかに記載の発明において、前記棚の上方側に向かって照射される光の角度中心が、前記棚の下方側に向かって照射される光の角度中心よりも棚板の法線方向に近いことを特徴とする。これにより有効な商品照明を行える。
【００１３】
請求項６に記載の光学素子は、請求項１〜５のいずれかに記載の発明において、前記光学素子は、前記照明装置を棚に取り付けたときに、前記棚から最も離れた端部が平面となっていることを特徴とする。これにより、前記平面から出射した光も利用して、前記棚に陳列された商品を照明することができる。
【００１４】
請求項７に記載の照明装置は、請求項１〜６のいずれかに記載の光学素子を有する照明装置であって、前記第１の面と第２の面に沿って設けられた反射部材を有することを特徴とする。反射部材により、板状体内で全反射せず外部に出射した光を再び板状体に入射させ、照明光として有効利用することができる。また、棚板の手前側に反射材を置くことで、商品を眺める顧客側に光が洩れず、眩しさを低減することができる。
【００１５】
請求項８に記載の照明装置は、前記光学素子の前記棚から最も離れた端部に沿って拡散部材を設けたことを特徴とする。端部の外部に拡散部材を設けることで、出射光の角度分布を適度に広げ、光学部材を上から眺めた際の眩しさを低減することができる。また、端部の明るさのムラを低減し、外見品質を向上することができる。
【発明の効果】
【００１６】
本発明によれば、コストを低く抑えつつ、例え背の高い商品であっても適切な照明を行うことができる照明装置及び光学素子を提供することができる。
【図面の簡単な説明】
【００１７】
【図１】本実施の形態に係る照明装置を用いたショーケースの断面図である。
【図２Ａ】第１の実施の形態において、図１の矢印IIで示す照明装置１０を拡大して示す断面図である。
【図２Ｂ】第２の実施形態における図２Ａと同様な断面図である。
【図３】照明装置１０の導光板１１とＬＥＤ光源の基板１２とを示す斜視図である。
【図４】本実施の形態の作用を説明する図である。
【発明を実施するための形態】
【００１８】
以下、本発明の実施の形態を、図面を参照して説明する。図１は、本実施の形態に係る照明装置を用いたショーケースの断面図である。ショーケース１は、例えばスーパーマーケットなどの店舗内に据え付けられる縦型のオープンタイプのショーケースであり、床面に設置された基部１ａと、基部１ａの背面側から上方に延在し、商品を冷却する冷却器等を内蔵した背面部１ｂと、背面部１ｂの上端から、前方（図１で左側）に延在する天板部１ｃとを有し、全体的に断面コ字状となっている。背面部１ｂは、前面に片持ち状に並行して延在する複数の（ここでは５枚の）棚２を取り付けている。各棚２の先端には、照明装置１０が取り付けられている。
【００１９】
（第１の実施形態）
図２Ａは、第１の実施形態にかかり、図１の矢印IIで示す照明装置１０を拡大して示す断面図である。図３は、照明装置１０の導光板１１とＬＥＤ光源の基板１２とを示す斜視図である。基板１２は、図３に示すように、ＬＥＤ光源であるＬＥＤ発光部１２ａを等間隔に水平に並べている。ここで、導光板１１および基板１２の長さＬ＝２５０ｍｍ、ＬＥＤ発光部１２ａのピッチＰ＝５０ｍｍ、導光板１１の高さＨ＝６０ｍｍであるが、以上の寸法に限られることはない。但し、Ｐ＜Ｈが好ましい。
【００２０】
図２Ａにおいて、棚２の端部全体にわたって、断面台形状のホルダ１３が固定されている。ホルダ１３の前方側（図２で左側）には、上下の爪部１３ａ、１３ａで挟持されるようにして基板１２が固定されている。又、ホルダ１３から、上方及び下方に向かって鈎状のステー１３ｂ、１３ｂが複数対延在しており、板状の導光板１１の上縁及び下縁を支持している。ホルダ１３は導光板のほか、少なくとも導光板１１の幅より広くなっており、一端をカバー１４に当接させて導光板１１の上側端面全体を覆うように配置された拡散材１６を保持している。導光板１１は、基板１２に対して平行に配置されている。
【００２１】
光学素子である板状体としての導光板１１は、前方側を向いた表面１１ａ（第２の面）と、棚２側を向いた裏面１１ｂ（第１の面）と、平面状の上端１１ｃ及び下端１１ｄとを有し、全面が鏡面状となっている。表面１１ａには、上下方向の中央より下方側において、基板１２のＬＥＤ発光部１２ａの光軸と対向する位置が中央最深部となるようにＶ字状の溝１１ｅを形成している。溝１１ｅの上方側の斜面を第１の反射面１１ｆとし、下方側の斜面を第２の反射面１１ｇとする。表面１１ａは、溝１１ｅを除き平面である。
【００２２】
一方、裏面１１ｂは、表面１１ａに平行な下側面１１ｈと、導光板１１の厚肉部に相当する上側面１１ｉとからなる。上側面１１ｉは、端部側に向かうにつれて肉厚が厚くなるように下側面１１ｈに対して傾いた第１の斜面１１ｊと、第１の斜面１１ｊよりも端部側にあって且つ端部側に向かうにつれて肉厚が薄くなるように下側面１１ｈに対して傾いた第２の斜面１１ｋと、第１の斜面１１ｊと第２の斜面１１ｋとを連結する平面１１ｍとからなる。図４に示すように、ＬＥＤ発光部１２ａより上方における下側面１１ｈ（第１の斜面１１ｊの直下まで）には、薄い反射板１５が接着されているが、この反射板１５は省略しても良い。
【００２３】
尚、上側面１１ｉは、複数の平面を組み合わせたものに限らず、単一もしくは複数の曲面を組み合わせたものでも良く、それにより平面部同士の境界線に起因する照明ムラを低減し、より均一な照明光を実現できる。上端１１ｃの肉厚は、下端１１ｄの肉厚より薄くなっているが、等しいかそれ以上でも良い。導光板１１は、図３から明らかなように、全長にわたって軸線直交方向断面形状が同一であるから、板状のガラス又は樹脂の素材から押し出し成形等により容易に形成することができる。但し、金型成形や切削加工により形成しても良い。
【００２４】
導光板１１の表面１１ａに対向するようにして、カバー１４が取り付けられている。カバー１４は、背面側は平面（鏡面状の反射部とすることが望ましい）であるが、表面側には、陳列した商品Ｍの値札等を取り付けるための傾斜部１４ａを有している。又、カバー１４の上端は、導光板１１の上端１１ｃより上方に突出しているので、上端１１ｃから出射した光が、ショーケース１の前方側に向かうことを阻止でき、これにより棚２に陳列された商品を見る消費者がまぶしさを感じにくくしている。
【００２５】
図４（ａ）、（ｂ）は、本実施の形態の作用を説明する図であり、理解しやすいように導光板１１とＬＥＤ発光部１２ａのみを記載し、代表的な光路を一点鎖線で描いている。尚、ここでは、ＬＥＤ発光部１２ａの光軸に対する第１の反射面１１ｆの傾斜角θ１＝＋４５度とし、第２の反射面１１ｇの傾斜角θ２＝−４５度とする。又、第１の斜面１１ｊの下側面１１ｈに対する傾斜角θ３＝＋５度とし、第２の斜面１１ｋの下側面１１ｈに対する傾斜角θ４＝−１５度とする。但し、角度は以上に限られない。
【００２６】
図４（a）は、本実施の形態における代表的な第１の光路を説明する図である。図４（a）において、不図示の配線を介して外部より供給された電力によりＬＥＤ発光部１２ａが発光する。ＬＥＤ発光部１２ａより出射された光は、裏面１１ｂの下側面１１ｈの光の入射部から導光板１１内に入射し、その一部は第２の反射面１１ｇに浅い角度で入射して全反射した後、その反射光の多くは表面１１ａに浅い角度で入射して全反射した後に、下端１１ｄに比較的深い角度で入射することで出射して（一部は下側面１１ｈから出射する）、棚２の下段の棚に陳列された商品上部の照明に用いられる。
【００２７】
また、ＬＥＤ発光部１２ａより出射された裏面１１ｂの下側面１１ｈの光の入射部から導光板１１内に入射した光の一部は第１の反射面１１ｆに浅い角度で入射して全反射し、その反射光は表面１１ａに浅い角度で入射して全反射した後に、上側面１１ｉの第１の斜面１１ｊに入射するが、ここでも全反射され（下側部１１ｈに入射した一部は反射板１５により反射される）、更に表面１１ａに浅い角度で入射して殆ど全反射した後に、第２の斜面１１ｋ又は平面１１ｍに比較的深い角度で入射することによりここから出射し、或いは上端１１ｃに比較的深い角度で入射することにより出射して、棚２に陳列された商品Ｍの照明に用いられる。このように構成することで、ＬＥＤ発光部１２ａより出射されて導光板１１内に入射した光の約半分は棚２と下段の棚との間の空間の照明に、残り半分は棚２の上方空間の照明に用いられる。
【００２８】
図４（b）は、本実施の形態における別の代表的な第２の光路を説明する図である。図４（ｂ）において、不図示の配線を介して外部より供給された電力によりＬＥＤ発光部１２ａが発光する。ＬＥＤ発光部１２ａより出射された光の一部は、裏面１１ｂから導光板１１内に入射し、その一部は第１の反射面１１ｇを通過して外部に出射し、外部に設置された反射部（点線で示す）で反射され、再び反射部１１ｇから導光板１１内に入射する。入射した光は下側面１１ｈから出射し、棚板２の下段の棚に陳列された商品上部の照明に用いられる。
【００２９】
一方、ＬＥＤ発光部１２ａより出射された光の残りは、裏面１１ｂから導光板１１内に入射し、その一部は第２の反射面１１ｆに浅い角度で入射して全反射した後、端面１１ｃから出射し、棚２の下段の棚に陳列された商品上部の照明に用いられる。
【００３０】
ここで、導光板１１が、図４（ａ）に点線で示すように厚肉部がなく一定の肉厚の板材であるとすると、ＬＥＤ発光部１２ａからの光が第１の反射面１１ｆに浅い角度で入射して全反射し、表面１１ａに浅い角度で入射して全反射した後に、裏面１１ｂ側に比較的深い角度で入射するので、ここから出射しやすくなり、よって商品Ｍの下端近傍が照明されがちになる。
【００３１】
これに対し、本実施の形態の代表的な第１の光路によれば、第１の斜面１１ｊが第１面側に突出するように傾斜しているため、ＬＥＤ発光部１２ａからの光は、第１の斜面１１ｊでの全反射によって反射されて更に上方に向かう。つまり、導光板１１の肉厚部を棚２の上方側にのみ設けることで、棚２の上方側に向かって照射される光が、棚２の下方側に向かって照射される光より遠方に照射されるように、配光制御を行えるのである。
【００３２】
又、第１の斜面１１ｊより上方に配置された第２の斜面１１ｋが、第１の斜面１１ｊとは逆向きに傾いているので、導光板１１の内部を通ってきた光は、第２の斜面１１ｋに対し、より深い角度で入射することにより全反射が抑制され、ここから出射しやすくなって背の高い商品Ｍの中程を照明することができるのである。つまり、第２の斜面１１ｋの位置を変更することで、光の出射位置を任意に調整できる。
【００３３】
尚、本発明は以上の実施の形態に限られない。例えば導光板１１の全反射する面には、反射膜を設けても良い。又、肉厚部は、導光板１１の下方側に設けても良い。
【００３４】
（第２の実施形態）
図２Ｂは、第２の実施形態にかかる照明装置１０’を拡大して示す、図２Ａと同様な断面図である。図示していないが、第２の実施形態においても、第１の実施形態と同様、基板１２は、ＬＥＤ光源であるＬＥＤ発光部１２ａを等間隔に水平に並べているが、図２Ｂに示すようにカバー部材１４の裏面（導光板１１）側に取り付けられている。ここで、導光板１１および基板１２の長さＬ＝２５０ｍｍ、ＬＥＤ発光部１２ａのピッチＰ＝５０ｍｍ、導光板１１の高さＨ＝６０ｍｍであるが、以上の寸法に限られることはない。但し、Ｐ＜Ｈが好ましい。
【００３５】
図２Ｂにおいて、棚２の端部全体にわたって、断面台形状のホルダ１３が固定されていて、ホルダ１３から、上方及び下方に向かって鈎状のステー１３ｂ、１３ｂが複数対延在しており、板状の導光板１１の上縁及び下縁を支持している。ホルダ１３は導光板のほか、少なくとも導光板１１の幅より広くなっており、一端をカバー１４に当接させて導光板１１の上側端面全体を覆うように配置された拡散材１６を保持している。導光板１１は、基板１２に対して平行に配置されている。
【００３６】
光学素子である板状体としての導光板１１は、第１の実施形態とは同様の形状であるが表裏逆向きに配置されており、すなわち棚２側を向いた表面１１ａ（第２の面）と、前方側を向いた裏面１１ｂ（第１の面）と、平面状の上端１１ｃ及び下端１１ｄとを有し、全面が鏡面状となっている。表面１１ａには、上下方向の中央より下方側において、基板１２のＬＥＤ発光部１２ａの光軸と対向する位置が中央最深部となるようにＶ字状の溝１１ｅを形成している。溝１１ｅの上方側の斜面を第１の反射面１１ｆとし、下方側の斜面を第２の反射面１１ｇとする。表面１１ａは、溝１１ｅを除き平面である。
【００３７】
一方、裏面１１ｂは、表面１１ａに平行な下側面１１ｈと、導光板１１の厚肉部に相当する上側面１１ｉとからなる。上側面１１ｉは、端部側に向かうにつれて肉厚が厚くなるように下側面１１ｈに対して傾いた第１の斜面１１ｊと、第１の斜面１１ｊよりも端部側にあって且つ端部側に向かうにつれて肉厚が薄くなるように下側面１１ｈに対して傾いた第２の斜面１１ｋと、第１の斜面１１ｊと第２の斜面１１ｋとを連結する平面１１ｍとからなる。図２Ｂに示すように、ＬＥＤ発光部１２ａより上方における下側面１１ｈ（第１の斜面１１ｊの直下まで）には、薄い反射板１５が接着されているが、この反射板１５は省略しても良い。
【００３８】
尚、上側面１１ｉは、複数の平面を組み合わせたものに限らず、単一もしくは複数の曲面を組み合わせたものでも良く、それにより平面部同士の境界線に起因する照明ムラを低減し、より均一な照明光を実現できる。上端１１ｃの肉厚は、下端１１ｄの肉厚より薄くなっているが、等しいかそれ以上でも良い。導光板１１は、図３を参照して、全長にわたって軸線直交方向断面形状が同一であるから、板状のガラス又は樹脂の素材から押し出し成形等により容易に形成することができる。但し、金型成形や切削加工により形成しても良い。
【００３９】
導光板１１の裏面１１ｂに対向するようにして、カバー１４が取り付けられている。カバー１４は、背面側（導光板１１側）は平面（鏡面状の反射部とすることが望ましい）であるが、表面側には、陳列した商品Ｍの値札等を取り付けるための傾斜部１４ａを有している。又、カバー１４の上端は、導光板１１の上端１１ｃより上方に突出しているので、上端１１ｃから出射した光が、ショーケース１の前方側に向かうことを阻止でき、これにより棚２に陳列された商品を見る消費者がまぶしさを感じにくくしている。
【００４０】
図４（ｃ）、（ｄ）は、本実施の形態の作用を説明する図であり、理解しやすいように導光板１１とＬＥＤ発光部１２ａのみを記載し、代表的な光路を一点鎖線で描いている。尚、第１の実施形態と同様に、ＬＥＤ発光部１２ａの光軸に対する第１の反射面１１ｆの傾斜角θ１＝＋４５度とし、第２の反射面１１ｇの傾斜角θ２＝−４５度とする。又、第１の斜面１１ｊの下側面１１ｈに対する傾斜角θ３＝＋５度とし、第２の斜面１１ｋの下側面１１ｈに対する傾斜角θ４＝−１５度とする。但し、角度は以上に限られない。
【００４１】
図４（ｃ）は、本実施の形態における代表的な第１の光路を説明する図である。図４（ｃ）において、不図示の配線を介して外部より供給された電力によりＬＥＤ発光部１２ａが発光する。ＬＥＤ発光部１２ａより出射された光は、裏面１１ｂの下側面１１ｈの光の入射部から導光板１１内に入射し、その一部は第２の反射面１１ｇに浅い角度で入射して全反射した後、その反射光の多くは表面１１ａに浅い角度で入射して全反射した後に、下端１１ｄに比較的深い角度で入射することで出射して（一部は下側面１１ｈから出射する）、棚２の下段の棚に陳列された商品上部の照明に用いられる。このような光路では、棚板の手前側に光が出射する。このような光は、複数の棚板のうち下段の棚板奥行きが長く手前にせり出しているようなショーケースにおいて、下段手前側領域を照明するのに有効である。
【００４２】
また、ＬＥＤ発光部１２ａより出射された裏面１１ｂの下側面１１ｈの光の入射部から導光板１１内に入射した光の一部は第１の反射面１１ｆに浅い角度で入射して全反射し、その反射光は表面１１ａに浅い角度で入射して全反射した後に、上側面１１ｉの第２の斜面１１ｋ（又は平面１１ｍ）に比較的深い角度で入射することによりここから出射し、或いは上端１１ｃに比較的深い角度で入射することにより出射して、棚２に陳列された商品Ｍの照明に用いられる。このように構成することで、ＬＥＤ発光部１２ａより出射されて導光板１１内に入射した光の約半分は棚２と下段の棚との間の空間の照明に、残り半分は棚２の上方空間の照明に用いられる。
【００４３】
図４（ｄ）は、本実施の形態における代表的な第２の光路を説明する図である。図４（ｄ）において、不図示の配線を介して外部より供給された電力によりＬＥＤ発光部１２ａが発光する。ＬＥＤ発光部１２ａより出射された光の一部は、裏面１１ｂから導光板１１内に入射した後、表面１１aの下部から出射し、棚板２の下段の棚に陳列された商品上部の照明に用いられる。  
【００４４】
一方、ＬＥＤ発光部１２ａより出射された光の残りは、裏面１１ｂから導光板１１内に入射し、表面１１ａと表面１１bでの全反射を繰り返したのち、上側面１１ｉの第１の斜面１１ｊに入射するが、ここでも全反射され、第２の斜面１１ｋ又は平面１１ｍに比較的深い角度で入射することによりここから出射し、或いは上端１１ｃに比較的深い角度で入射することにより出射して、棚２に陳列された商品Ｍの照明に用いられる。
【００４５】
ここで、導光板１１が、図４（ｃ）に点線で示すように厚肉部がなく一定の肉厚の板材であるとすると、ＬＥＤ発光部１２ａからの光が第１の反射面１１ｆに浅い角度で入射して全反射し、表面１１ａに浅い角度で入射して全反射した後に、裏面１１ｂ側に比較的深い角度で入射するので、ここから出射しやすくなり、よって商品Ｍの下端近傍が照明されがちになる。
【００４６】
これに対し、本実施の形態の代表的な第２の光路によれば、第１の斜面１１ｊが第１面側に突出するように傾斜しているため、ＬＥＤ発光部１２ａからの光は、第１の斜面１１ｊでの全反射によって反射されて更に上方に向かう。つまり、導光板１１の肉厚部を棚２の上方側にのみ設けることで、棚２の上方側に向かって照射される光が、棚２の下方側に向かって照射される光より遠方に照射されるように、配光制御を行えるのである。
【００４７】
又、第１の斜面１１ｊより上方に配置された第２の斜面１１ｋが、第１の斜面１１ｊとは逆向きに傾いているので、導光板１１の内部を通ってきた光は、第２の斜面１１ｋに対し、より深い角度で入射することにより全反射が抑制され、ここから出射しやすくなって背の高い商品Ｍの中程を照明することができるのである。つまり、第２の斜面１１ｋの位置を変更することで、光の出射位置を任意に調整できる。
【００４８】
尚、本発明は以上の実施の形態に限られない。例えば導光板１１の全反射する面には、反射膜を設けても良い。又、肉厚部は、導光板１１の下方側に設けても良い。
【符号の説明】
【００４９】
１ ショーケース
２ 棚
１０ 照明装置
１１ 導光板
１１ａ 表面
１１ｂ 裏面
１１ｃ 上端
１１ｄ 下端
１１ｅ 溝
１１ｆ 第１の反射面
１１ｇ 第１の反射面
１１ｈ 下側面
１１ｉ 上側面
１１ｊ 第１の斜面
１１ｋ 第２の斜面
１１ｍ 平面
１２ 基板
１２ａ ＬＥＤ発光部
１３ ホルダ
１３ａ 爪部
１３ｂ ステー
１４ カバー
１４ａ 傾斜部
１５ 反射板
１６ 拡散材
Ｍ 商品
【図１】
2011253778.tif 000003
【図２Ａ】
2011253778.tif 000004
【図２Ｂ】
2011253778.tif 000005
【図３】
2011253778.tif 000006
【図４】
2011253778.tif 000007